(57)【要約】【課題】ディスプレイ装置をワイヤレスの入力装置として使用可能とすることにより専用の入力装置を不要とする。【解決手段】動作モード切り替え手段１３が通常モード制御手段１１を動作させた場合は、通信手段１４を介して画像データ受信手段１１１が受信したデータから画像生成手段１１２が画像を生成しＬＣＤ１５に表示するとともに、タッチスクリーン１６への操作をペン操作検出手段１１３が検出し、それを操作データ送出手段１１４が通信手段１４を介して主装置に送出する。動作モード切り替え手段１３が入力装置モード制御手段１２を動作させた場合は、ソフトキーボード制御手段１２１がＬＣＤ１５にソフトキーボードを表示するとともにタッチスクリーン１６からの操作データからキーを判定し、それをキーコード送出手段１２２が通信手段１４を介して主装置に送出する。【選択図】  図１
2004272649.tif 000002
【特許請求の範囲】
【請求項１】
コンピュータ、テレビチューナ等の画像を生成する主装置と所定の方法で接続され、液晶等からなる表示部に前記主装置によって生成された画像を表示し、かつ、前記表示部に重ねて配置された透明のタッチスクリーン等からなる入力部から前記表示部上の画像における対応する位置を指示するよう構成されたディスプレイ装置であって、
前記表示部への画像の表示と前記入力部からの位置の指示を行うよう動作させる通常モード制御手段と、
前記表示部へのデータ入力用グラフィカルユーザインタフェースの表示と前記入力部からのグラフィカルユーザインタフェースへの入力指示とを行い、その入力内容データを前記主装置に送信するよう動作させる入力装置モード制御手段と、
あらかじめ定められた方法にしたがって前記通常モード制御手段と前記入力装置モード制御手段とを選択的に動作させるモード切り替え手段と
を備えたことを特徴とするディスプレイ装置。
【請求項２】
主装置との接続の方法が無線通信を用いたものであることを特徴とする請求項１に記載のディスプレイ装置。
【請求項３】
入力装置モード制御手段によって表示されるグラフィカルユーザインタフェースがソフトウェアキーボードであることを特徴とする請求項１または請求項２に記載のディスプレイ装置。
【請求項４】
入力装置モード制御手段によって表示されるグラフィカルユーザインタフェースが表示部に表示される画像上の座標の指示を行うものであることを特徴とする請求項１または請求項２に記載のディスプレイ装置。
【請求項５】
ＧＰＳ等の位置を検出する手段を備え、ディスプレイ装置が主装置と所定の距離を超えて離れている場合は通常モードとし、所定の距離以内にある場合には入力装置モードとする制御を行うことを特徴とする請求項１または請求項２に記載のディスプレイ装置。
【発明の詳細な説明】
【０００１】
【発明の属する技術分野】
本発明は、パーソナルコンピュータ、テレビ等の画像を表示するシステムにおけるディスプレイ装置に関するものである。
【０００２】
【従来の技術】
パーソナルコンピュータ（ＰＣ）をはじめとする各種情報機器に関する技術の進歩および低廉化に伴い、オフィスや家庭における情報機器の普及が急速に進展している。これらの機器の用途・使用範囲も拡大しており、従来使用が困難であった場所での使用を可能とすることなどを目的として、表示部を情報機器の主要処理を行う部分（本体部）から分離可能とし、両者の間を無線通信を用いて接続することにより、表示部のみの携帯で操作を可能とした情報機器も考案されている（例えば特許文献１参照）。特許文献１における情報処理装置は図６のように構成され、ＣＰＵ６１１とメモリ６１２と２次記憶装置６１３と無線装置６１４とを備えたデータ処理部６１０と、ＣＰＵ６２１とメモリ６２２と２次記憶装置６２３と無線装置６２４と表示装置６２５と入力装置６２６を備えた表示部６２０とを備え、データ処理部６１０で処理した結果の画像を表示部６２０に無線で送信し、表示部６２０よりユーザが入力した操作結果をデータ処理部６１０に無線で送信するよう構成されており、ケーブル等で接続することなく表示部のみを持ち運んで使用することができ、可搬性を向上させるものである。このような構成とすることにより、例えば、データ処理部をオフィス内に設置し、表示部のみを倉庫に持ち出して在庫管理アプリケーションを動作させたり、データ処理部を書斎内に設置し、表示部のみを居間や台所に持ち出してインターネットのホームページ閲覧やテレビ番組の視聴を行うことが可能となる。
【０００３】
このような情報機器では、可搬性と参照性・操作性がトレードオフとなっており、可搬性が向上している反面、参照性および操作性がある程度損なわれる場合がある。つまり、表示部を小さくかつそれに含まれる入力装置をタッチスクリーン等で構成することにより可搬性を向上させている反面、通常のデスクトップＰＣやノートＰＣと比較して、表示装置の表示領域が小さいため参照性が低下し、また、文字入力をいわゆるソフトウェアキーボードを使用して行わざるを得ないことなどの要因で操作性が損なわれることとなる。参照性および操作性を改善するため、例えば、ユーザがデータ処理部の機能をその近傍で使用する場合には、データ処理部に別途モニタ装置とキーボード等の入力装置をケーブルによって接続することにより、参照性および操作性の確保できる構成となっている情報機器も出現している。
【０００４】
【特許文献１】
特開２００２−１１６９０５号公報（第３頁、図１）
【０００５】
【発明が解決しようとする課題】
しかしながら、上記従来技術に示した情報機器では、ユーザがデータ処理部の近傍で使用する場合には、表示部は使用されなくなる上、別途専用のキーボード等の入力装置が必要となり、機器の有効利用が行えないという問題点があった。
【０００６】
本発明はかかる点に鑑み、主装置と無線通信等で接続され、画像の表示とユーザからの位置の指示入力を受け付ける動作をさせる通常モード制御手段と、ソフトウェアキーボード等のデータ入力用グラフィカルユーザインタフェースの表示とこれへの入力指示とを行わせ、その入力内容データを主装置に送信するよう動作させる入力装置モード制御手段と、これら２つの手段をあらかじめ定められた方法にしたがって選択的に動作させるモード切り替え手段とを備えたディスプレイ装置を提供することを目的とする。
【０００７】
【課題を解決するための手段】
本発明の請求項１に記載の発明は、通常モード制御手段と入力装置モード制御手段とをモード切り替え手段によって切り替えるよう構成されたディスプレイ装置であって、主装置の遠隔で使用する場合には通常モード制御手段を動作させ、主装置の近傍で使用する場合には入力装置モード制御手段を動作させることにより、各状況に適した機能を働かせることができる。
【０００８】
請求項２に記載の発明は、請求項１に記載のディスプレイ装置において、主装置との接続が無線通信によって行われるものであり、ディスプレイ装置の可搬性の向上等、使用時の自由度を上げることができる。
【０００９】
請求項３に記載の発明は、請求項１または請求項２に記載のディスプレイ装置において、入力装置モード制御手段によって表示されるグラフィカルユーザインタフェースがソフトウェアキーボードであるもので、主装置の近傍で使用する場合にディスプレイ装置をワイヤレスのソフトウェアキーボードとして機能させることができる。
【００１０】
請求項４に記載の発明は、請求項１または請求項２に記載のディスプレイ装置において、入力装置モード制御手段によって表示されるグラフィカルユーザインタフェースが画像上の座標を指示するもので、主装置の近傍で使用する場合にディスプレイ装置をワイヤレスのポインティングデバイスとして機能させることができる。
【００１１】
請求項５に記載の発明は、請求項１または請求項２に記載のディスプレイ装置において、ＧＰＳ等の位置を検出する手段を備え、ディスプレイ装置が主装置と所定の距離を超えて離れている場合は通常モードとし、所定の距離以内にある場合には入力装置モードとする制御を行うもので、切り替えのスイッチを不要とすることができる。
【００１２】
【発明の実施の形態】
以下、本発明の実施の形態を図面を参照しながら詳細に説明する。
【００１３】
（実施の形態１）
図１は、本発明の第１の実施の形態におけるディスプレイ装置のブロック図を示すものである。図１において、１１は通常モード制御手段、１２は入力装置モード制御手段、１３は動作モード切り替え手段である。１４は通信手段であり、本実施の形態におけるディスプレイ装置との相互作用により動作する主装置（図示せず）との間で無線通信により各種データの授受を行う。通信手段１４は、通常モード制御手段１１および入力装置モード制御手段１２からのデータを主装置に送信し、同様に受信したデータを通常モード制御手段１１および入力装置モード制御手段１２に受け渡す。
【００１４】
通常モード制御手段１１は、画像データ受信手段１１１、画像生成手段１１２、ペン操作検出手段１１３および操作データ送出手段１１４から構成されている。画像データ受信手段１１１は、主装置が生成した画像データを通信手段１４を介して受信する。画像生成手段１１２は、画像データ受信手段１１１が受信した画像データを表示部であるＬＣＤ１５に表示するための制御を行う。ペン操作検出手段１１３は、ユーザによって入力部であるタッチスクリーン１６を介して行われたペン操作を検出しそれを所定のデータ形式に変換する。操作データ送出手段１１４は、ペン操作検出手段１１３が生成した所定形式のペン操作データを通信手段１４を介して主装置に送出する。なお、ＬＣＤ１５とタッチスクリーン１６は互いに重ね合わせて構成されており、「液晶タッチスクリーンディスプレイ」あるいは「液晶タッチパネル」などと呼称される形態となっている。
【００１５】
入力装置モード制御手段１２は、ソフトキーボード制御手段１２１およびキーコード送出手段１２２から構成されている。ソフトキーボード制御手段１２１は、ＬＣＤ１５に対してキーボードの外観を持った画像を表示し、その画像の各キー位置に対するタッチスクリーン１６を介したユーザ操作を当該キーの入力として処理する、いわゆるソフトウェアキーボードの制御を行う。ソフトキーボード制御手段１２１がタッチスクリーン１６からの入力データを正常なキー入力として処理すると、キーコード送出手段１２２がその入力データをキーコードとして通信手段１４を介して主装置に対して送出する。
【００１６】
動作モード切り替え手段１３は、あらかじめ定められた方法によって通常モード制御手段１１あるいは入力装置モード制御手段１２のいずれかを動作させる。具体的には、図示しないスイッチへのユーザによる切り替え操作により、いずれを動作させるかを決定する。なお、前者を動作させているディスプレイ装置の動作状態を通常モードと呼び、後者を動作させているディスプレイ装置の動作状態を入力装置モードと呼ぶ。
【００１７】
次に、動作モード切り替え手段１３が通常モード制御手段１１を動作状態とした場合と、入力装置モード制御手段１２を動作状態とした場合とについて、具体的な動作の様子について説明する。
【００１８】
図２は、動作モード切り替え手段１３が、通常モード制御手段１１を動作状態としている場合のディスプレイ装置２１と主装置２２とからなるシステムの概念図である。このシステムでは、主装置２２はパーソナルコンピュータ（ＰＣ）本体であり、マイクロソフト社製オペレーティングシステムＷｉｎｄｏｗｓ（Ｒ）が動作しており、さらに、ディスプレイ装置２１における通信手段（図１における通信手段１４）との間で無線通信を行う図示しない通信手段が備えられているものとする。このような構成のとき、ディスプレイ装置２１、より具体的には図１におけるＬＣＤ１５には、主装置２２が生成したＷｉｎｄｏｗｓ（Ｒ）のグラフィカルユーザインタフェース（ＧＵＩ）による画面が表示され、同時にディスプレイ装置２１、より具体的には図１におけるタッチスクリーン１６を介したユーザによる操作を示すデータが主装置２２に伝達される。このような動作により、このシステム全体の作用によりＰＣとしての機能が実現される。
【００１９】
図３は、動作モード切り替え手段１３が、入力装置モード制御手段１２を動作状態としている場合のディスプレイ装置２１と主装置２２とからなるシステムの概念図である。この場合には、さらに液晶モニタ３１およびモニタケーブル３２がシステムの構成要素として含まれており、液晶モニタ３１はモニタケーブル３２を介して主装置２２に接続されている。先と同様に主装置２２はＰＣ本体でありＷｉｎｄｏｗｓ（Ｒ）が動作している。同じく主装置２２には図示しない通信手段が備えられディスプレイ装置２１との間で無線通信を行う。また、液晶モニタ３１には、Ｗｉｎｄｏｗｓ（Ｒ）のＧＵＩによる画面が表示される。このシステムでは、ディスプレイ装置２１におけるＬＣＤ１５にソフトウェアキーボードが表示され、タッチスクリーン１６へのペン等による操作でソフトキーボードに含まれるキーが指示されることによって、主装置２２へのキー操作が行われる。このような動作により、ディスプレイ装置２１はワイヤレスのキーボードとして作用し、このシステム全体でＰＣとしての機能が実現される。
【００２０】
図２に示されるシステムの構成と図３に示されるシステムの構成とは、固定的にいずれかの構成となっているのではない。例えば、主装置２２をオフィス内に設置している場合を想定すると、ユーザがＰＣの機能を用いて倉庫内の在庫管理の作業を行いたい場合には、図２の構成、つまり動作モード切り替え手段１３が通常モード制御手段１１を動作させた状態としてディスプレイ装置２１のみを倉庫内に持ち出して使用し、一方、その作業が終了してオフィス内に戻ったときには、図３の構成、つまり動作モード切り替え手段１３が入力装置モード制御手段１２を動作させた状態とし、ユーザはディスプレイ装置２１をワイヤレスのキーボードとして使用する。
【００２１】
以上のように本実施の形態によれば、動作モード切り替え手段１３によって通常モード制御手段１１と入力装置モード制御手段１２とを選択的に動作させ、ディスプレイ装置２１のみを手元に置いてＰＣを動作させることができる通常モードと、ディスプレイ装置２１をワイヤレスのキーボードとして使用できる入力装置モードとを状況に応じて切り替えられるよう構成したので、通常モードにおいて可搬性を向上させることができるだけでなく、入力装置モードにおいては、オフィス内等でディスプレイ装置をワイヤレスのキーボードとして使用することができ、専用のキーボードを不要とすることができる。
【００２２】
なお、本実施の形態では、主装置をＰＣ本体としたが、これをテレビチューナあるいはホームページの閲覧やインターネット放送等を視聴するためのいわゆるブロードバンド端末等に置き換えることも可能である。この場合には、通常モードでは、家庭内の居間や台所にディスプレイ装置を持ち出してペン操作によるホームページの閲覧や番組の視聴を行うことができ、入力装置モードでは、ディスプレイ装置をキーボードとして使用し、ＵＲＬ（Ｕｎｉｆｏｒｍ  Ｒｅｓｏｕｒｃｅ  Ｌｏｃａｔｏｒ）や各種設定情報の入力等に用いることができる。
【００２３】
また、本実施の形態では通常モードと入力装置モードとの切り替えをユーザによるスイッチの操作によって行うこととしたが、例えば、ＧＰＳ等の位置を検出する手段を用いて、ディスプレイ装置と主装置が所定の距離離れているかどうかを検出し、ディスプレイ装置が倉庫にある場合には通常モードとし、オフィスにある場合には入力装置モードとする等の制御を行うよう構成することも可能である。
【００２４】
（実施の形態２）
図４は、本発明の第２の実施の形態におけるディスプレイ装置のブロック図を示すものである。図４において、１１〜１６および１１１〜１１４はいずれも第１の実施の形態における図１の同一の符号を付与したものと同様である。４２１は座標入力制御手段であり、ＬＣＤ１５に対して座標入力のため外観、例えば座標値を含んだ格子を持った画像を表示し、その画像の位置に対するタッチスクリーン１６を介したユーザ操作を当該座標へのペンタッチ入力として処理する、いわゆるタッチパッドあるいはデジタイザ等のポインティングデバイスとしての制御を行う。座標入力制御手段４２１がタッチスクリーン１６からの入力データを正常な座標入力として処理すると、座標送出手段４２２がその入力データを座標データとして通信手段１４を介して主装置に対して送出する。
【００２５】
本実施の形態において、動作モード切り替え手段１３が通常モード制御手段１１を動作状態とした場合の主装置を含めたシステムの概念図は第１の実施の形態の場合と同様、図２に示すものである。動作モード切り替え手段１３が入力装置モード制御手段１２を動作状態とした場合のシステムの概念図は図５のようになる。図５において、２１、２２、３１および３２は図３における同一の符号を付与したものと同様であり、さらにキーボード５１およびキーボードケーブル５２が備えられている。キーボード５１は、キーボードケーブル５２を介して主装置２２に接続されている。このシステムでは、動作モード切り替え手段１３が入力モード制御手段１２を動作状態とした場合には、ディスプレイ装置２１はワイヤレスのポインティングデバイスとして動作する。
【００２６】
以上のように本実施の形態によれば、入力装置モード制御手段１２がディスプレイ装置をワイヤレスのポインティングデバイスとして動作するよう構成したので、ディスプレイ装置を主装置と同一場所において使用する場合にユーザに対して操作性の高い座標入力手段を提供することが可能となる。
【００２７】
なお、本実施の形態においては、入力装置モード制御手段１２が動作状態の場合にディスプレイ装置２１をポインティングデバイスとして動作するものとしたが、これに加えて第１の実施の形態の場合と同様のキーボードの機能も包含した入力デバイスとして動作させることも可能である。
【００２８】
【発明の効果】
以上説明したように、本発明によれば、ディスプレイ装置と主装置とを分離可能とし可搬性を向上させると同時に、ディスプレイ装置と主装置とを同一場所で使用する場合には、ディスプレイ装置をワイヤレスの入力装置として使用可能に構成することにより、専用の入力装置を不要とすることができる。これにより、参照性および操作性を確保しつつ、企業、家庭等における出費の低減や機器の設置場所の削減等が可能となり、その実用的効果は大きい。
【図面の簡単な説明】
【図１】本発明の第１の実施の形態におけるディスプレイ装置のブロック図
【図２】本発明の第１の実施の形態におけるディスプレイ装置と主装置を含むシステムの一例の概念図
【図３】本発明の第１の実施の形態におけるディスプレイ装置と主装置を含むシステムの別の例の概念図
【図４】本発明の第２の実施の形態におけるディスプレイ装置のブロック図
【図５】本発明の第２の実施の形態におけるディスプレイ装置と主装置を含むシステムの一例の概念図
【図６】本発明の従来技術における情報処理装置のブロック図
【符号の説明】
１１  通常モード制御手段
１２  入力装置モード制御手段
１３  動作モード切り替え手段
１４  通信手段
１５  ＬＣＤ
１６  タッチスクリーン
２１  ディスプレイ装置
２２  主装置
３１  液晶モニタ
３２  モニタケーブル
５１  キーボード
５２  キーボードケーブル
１１１  画像データ受信手段
１１２  画像生成手段
１１３  ペン操作検出手段
１１４  操作データ送出手段
１２１  ソフトキーボード制御手段
１２２  キーコード送出手段
４２１  座標入力制御手段
４２２  座標送出手段
【図１】
2004272649.tif 000003
【図２】
2004272649.tif 000004
【図３】
2004272649.tif 000005
【図４】
2004272649.tif 000006
【図５】
2004272649.tif 000007
【図６】
2004272649.tif 000008